(57)【特許請求の範囲】
【請求項１】
装置筐体と、該装置筐体に設けたボタン孔から一端部を外部に臨ませて配置されたスイッチ操作ボタンと、該スイッチ操作ボタンにより押圧操作されるタクトスイッチと、該タクトスイッチのオン、オフを表示するＬＥＤと、該ＬＥＤの光を上記装置筐体に設けた表示部に導く集光レンズと、を備え、
上記スイッチ操作ボタンを弾性シート材に一体的に形成して、上記スイッチ操作ボタンを装置筐体に設けたボタン孔から外部に臨ませるとともに、上記弾性シート材を上記装置筐体の内面に圧接させることにより上記ボタン孔の周囲をシールして、該ボタン孔から上記装置筐体内に雨水等が侵入するのを防止した携帯型情報端末装置において、
上記集光レンズを、レンズ支持プレートに設け、該レンズ支持プレートを、上記弾性シート材の内側に配置して、上記集光レンズを、上記ＬＥＤと上記表示部との間に介在させるとともに、上記レンズ支持プレートで上記弾性シート材を上記装置筐体の内面に圧接させたことを特徴とする携帯型情報端末装置。
【請求項２】
上記レンズ支持プレートは、上記装置筐体の内面との間で上記弾性シート材を挟んだ状態で上記装置筐体の内面にネジ止めされていることを特徴とする請求項１に記載の携帯型情報端末装置。
【請求項３】
上記集光レンズ支持プレートの内側には、プリント基板が配置されていて、該プリント基板には上記スイッチ操作ボタンと対向する位置に上記タクトスイッチが搭載され、上記集光レンズと対向する位置に上記ＬＥＤが搭載されていることを特徴とする請求項２に記載の携帯型情報端末装置。
【請求項４】
上記スイッチ操作ボタンは、裏面に凹部が形成されていて、該スイッチ操作ボタンの裏面と上記タクトスイッチの間に、該タクトスイッチを押圧するスイッチ操作ピンが介在されていることを特徴とする請求項１〜請求項３のいずれかに記載の携帯型情報端末装置。
【請求項５】
上記スイッチ操作ボタンの裏面に、筒状のピン取付部を一体的に形成し、該ピン取付部に上記スイッチ操作ピンの一端部を挿入して、上記スイッチ操作ピンを取り付けるとともに、上記スイッチ操作ボタンの他端部を上記レンズ支持プレートに設けた筒状のピン受け部を貫通させて上記スイッチの近傍に位置させたことを特徴とする請求項４に記載の携帯型情報端末装置。
【請求項６】
上記装置筐体の内面に、上記弾性シート材の周縁部を圧接させるリング状の突起を設けたことを特徴とする請求項１〜請求項５のいずれかに記載の携帯型情報端末装置。
【発明の詳細な説明】
【技術分野】
【０００１】
本発明は、複数のスイッチ操作ボタンを弾性シート材に一体的に形成し、上記スイッチ操作ボタンを装置筐体に設けたボタン孔から外部に臨ませるとともに、上記弾性シート材を上記装置筐体の内面に圧接させることにより上記ボタン孔の周囲をシールして、該ボタン孔から上記装置筐体内に雨水や塵埃等が侵入するのを防止した携帯型情報端末装置に関するものである。
【背景技術】
【０００２】
図８に示すように、装置筐体１０１に設けたボタン孔１０２からスイッチ操作ボタン１０３を外部に臨ませて上記スイッチ操作ボタン１０３の一端部（外端）を押圧することにより他端部（内端）で装置筐体１０１内のタクトスイッチ１０４を押圧操作して、外部機器に情報を伝送するようにしたワイヤレス送信器や携帯型情報端末装置等（以下、単に装置と称する）が知られている。
【０００３】
上記装置は、ボタン孔１０２とスイッチ操作ボタン１０３の間の隙間Ｇから雨水や塵埃等が装置筐体１０１内に侵入して故障発生の原因になる。
【０００４】
そこで、雨水や塵埃等の浸入を防止するために、図９に示すように、複数のスイッチ操作ボタン１０３を弾性シート材１１０に一体的に形成し、スイッチ操作ボタン１０３を装置筐体１０１に設けたボタン孔１０３から外部に臨ませるとともに、弾性シート材１１０を装置筐体１０１の内面１０１ａに圧接させることによりボタン孔１０３の周囲をシールして、ボタン孔１０３から装置筐体１０１内に雨水や塵埃等が侵入するのを防止する構成にした装置も開発されている。（例えば、特許文献１参照）
【特許文献１】特開平６−５４３８１号公報
【発明の開示】
【発明が解決しようとする課題】
【０００５】
ところで、スイッチ操作ボタン１０３を設けた弾性シート材１１０によってボタン孔１０３の周囲をシールする装置には、次に述べるような問題点があった。
（１）雨水や塵埃等の侵入を確実に防止するためには、弾性シート材１１０を装置筐体１０１の内面１０１ａに密着させる必要があり、このために専用の部品が必要になり、部品点数が増え、組付工数も増えるためコストアップの原因になるととともに、上記部品のための配置スペースも必要となり、装置を小型化するのに障害になる。
（２）従来は図９に示すように、スイッチ操作ボタン１０３を中実（非中空）に形成し、該スイッチ操作ボタン１０３の裏面でタクトスイッチ１０５を直接、押圧する構成になっていたために、スイッチ操作ボタン１０３の直ぐ裏側にタクトスイッチ１０４を配置しなければならず、このために、スイッチ専用のプリント基板が必要となり、イニシャルコストと変動費及びスイッチ専用のプリント基板とメイン基板を接続するためのコネクタケーブル等のコストが掛かる。また、スイッチ操作ボタン１０３を中実に形成していたために操作感が悪く、タクトスイッチ１０４がオン、オフされたことが指先に伝わり難い。
【０００６】
本願発明の目的は、上記従来の問題点を解決し、スイッチ操作ボタンを設けた弾性シート材を装置筐体の内面に圧接させるための専用の部品を必要とせず、また、スイッチ専用のプリント基板を必要としない携帯型情報端末装置を提供することにある。
【課題を解決するための手段】
【０００７】
請求項１の発明は、装置筐体と、該装置筐体に設けたボタン孔から一端部を外部に臨ませて配置されたスイッチ操作ボタンと、該スイッチ操作ボタンにより押圧操作されるタクトスイッチと、該タクトスイッチのオン、オフを表示するＬＥＤと、該ＬＥＤに光を上記装置筐体に設けた表示部に導く集光レンズと、を備え、スイッチ操作ボタンを弾性シート材に一体的に形成して、上記スイッチ操作ボタンを装置筐体に設けたボタン孔から外部に臨ませるとともに、上記弾性シート材を上記装置筐体の内面に圧接させることにより上記ボタン孔の周囲をシールして、該ボタン孔から上記装置筐体内に雨水等が侵入するのを防止した携帯型情報端末装置において、
上記集光レンズを、レンズ支持プレートに設け、該レンズ支持プレートを、上記弾性シート材の内側に配置して、上記集光レンズを、上記ＬＥＤと上記表示部との間に介在させるとともに、上記レンズ支持プレートで上記弾性シート材を上記装置筐体の内面に圧接させる構成にした。
【０００８】
請求項２の発明は、請求項１に記載の携帯型情報端末装置において、上記レンズ支持プレートを、上記装置筐体の内面との間で上記弾性シート材を挟んだ状態で上記装置筐体の内面にネジ止めした。
【０００９】
請求項３の発明は、請求項２に記載の携帯型情報端末装置において、上記レンズ支持プレートの内側に、プリント基板を配置し、該プリント基板には上記スイッチ操作ボタンと対向する位置に上記タクトスイッチを搭載し、上記集光レンズと対向する位置に上記ＬＥＤを搭載した。
【００１０】
請求項４の発明は、請求項１〜請求項３のいずれかに記載の携帯型情報端末装置において、上記スイッチ操作ボタンの裏面に凹部を形成し、該スイッチ操作ボタンの裏面と上記タクトスイッチの間に、該タクトスイッチを押圧するスイッチ操作ピンを介在させた。
【００１１】
請求項５の発明は、請求項４に記載の携帯型情報端末装置において、上記スイッチ操作ボタンの裏面に、筒状のピン取付部を一体的に形成し、該ピン取付部に上記スイッチ操作ピンの一端部を挿入して、上記スイッチ操作ピンを取り付けるとともに、上記スイッチ操作ボタンの他端部を上記レンズ支持プレートに設けた筒状のピン受け部を貫通させて上記スイッチの近傍に位置させた。
【００１２】
請求項６の発明は、請求項１〜請求項５のいずれかに記載の携帯型情報端末装置において、上記装置筐体の内面に、上記弾性シート材の周縁部を圧接させるリング状の突起を設けた。
【発明の効果】
【００１３】
（１）請求項１の携帯型情報端末装置は、レンズ支持プレートを使用して弾性シート材を装置筐体の内面に圧接させる構成にしたので、弾性シート材を装置筐体の内面に圧接させるための専用の部品は不要となり、そのぶん部品点数を減らしコストの削減を図ることができるとともに、上記専用の部品のためのスペースも不要になり、装置の小型化を図ることができる。
（２）請求項２の携帯型情報端末装置は、ネジの締付度合いを調整することにより、弾性シート材の装置筐体の内面への圧接度合を加減、調整することができる。
（３）請求項３の携帯型情報端末装置は、上記レンズ支持プレートの内側にプリント基板を配置することにより、該プリント基板に搭載したタクトスイッチがスイッチ操作ボタンに対向して、該スイッチ操作ボタンによって操作可能になる。また、プリント基板に搭載したＬＥＤが集光レンズと対向して、ＬＥＤの光は集光レンズを介して装置筐体の表示部に導かれて、タクトスイッチのオン、オフを表示する。
（４）請求項４の携帯型情報端末装置は、スイッチ操作ボタンの裏面に凹部を形成し、スイッチ操作ボタンの肉厚を薄くして、該凹部内に上記スイッチ操作ピンを取り付け、該スイッチ操作ピンの先端でタクトスイッチを押圧、操作する構成にしたので、従来のスイッチ操作ボタンを中実に形成してスイッチ操作ボタンを押圧、操作していた場合に較べて、操作力をタクトスイッチに効果的に伝達し、タクトスイッチを確実に押圧、操作することができる。また、タクトスイッチがオン、オフされたことが指先に伝わり易くなり、タクトスイッチの操作感が良好になる。また、弾性シート材とスイッチ操作ピンの硬度を変え、スイッチ操作ピンを弾性シート材よりも高硬度の素材で形成することができる。
（５）請求項５の携帯型情報端末装置は、一端部をスイッチ操作ボタンの裏面に取り付けたスイッチ操作ピンをレンズ支持プレートに設けた筒状のピン受け部に支持しているので、スイッチ操作ボタンが傾くのを防止し、スイッチ操作ピンを円滑に往復移動させることができる。
（６）請求項６の携帯型情報端末装置は、装置筐体の内面に設けたリング状の突起に、上記弾性シート材の周縁部を圧接させて、上記突起を弾性シート材の表面に食い込ませることによりシール効果をより確実なものにすることができる。
【発明を実施するための最良の形態】
【００１４】
図１は携帯型情報端末装置の使用例を示す説明図、図２は携帯型情報端末装置の概観図、図３は携帯型情報端末装置の主要部の分解斜視図、図４は図３の要部の拡大図、図５は防水突起部分の断面図、図６は携帯型情報端末装置の断面図、図７は図６の要部（円で囲んだ部分）の拡大図である。
【００１５】
図１に示すように、上記携帯型情報端末装置は、デジタル化された画像や音声等の情報を遠隔地にある情報装置に伝送する装置として構成されている。上記携帯型情報端末装置１は、操作者１０１の持つカメラ１０２からの画像情報等を圧縮処理して伝送媒体（通信網）１０３を介して伝送する。伝送された情報は、情報処理装置１０４で伸長処理されて再生されて表示装置１０５に表示される。更に、この携帯型情報端末装置１は、現場と管理局との間で、音声情報の交換が可能になっている。
【００１６】
図２に示すように、携帯型情報端末装置１は、装置本体２と、該装置本体２の下端に設けた外部インターフェイスパネル部を雨水等から保護する防水カバー３と、を備えている。防水カバー３は、装置本体２の下端に着脱可能に取り付けられる。
【００１７】
図２、図３に示すように、装置本体２は、防水効果を有する筐体２１と、該筐体２１に組み付けられる第１〜第３のスイッチ操作ボタン２２ａ〜２２ｃを一体的に形成した弾性シート材２３と、第１〜第３の集光レンズ（導光部）２４ａ〜２４ｃを設けたレンズ支持プレート２５と、第１〜第３のスイッチ操作ボタン２２ａ〜２２ｃにより押圧操作される第１〜第３のタクトスイッチ２６ａ〜２６ｃおよび第１〜第３のＬＥＤ２７ａ〜２７ｃを備えたプリント基板２８と、を備えている。
【００１８】
図２に示すように、筐体２１は、フロントケース２１ａとリヤケース２１ｂとからなっている。フロントケース２１ａの前面の上部には、第１〜第３のスイッチ操作ボタン２２ａ〜２２ｃを挿入する第１〜第３のボタン孔３１ａ〜３１ｃが形成されているとともに、これら第１〜第３のボタン孔３１ａ〜３１ｃの上部には、第１〜第３のスイッチ操作ボタン２２ａ〜２２ｃのオン、オフ状態を光で表示する第１〜第３の表示部３２ａ〜３２ｃが形成されている。
【００１９】
図４に拡大して示すように、上記フロントケース２１ａの内面には、後に詳しく説明するレンズ支持プレート２５をネジ３３で取り付けるための複数のレンズ支持プレート取付用のボス部３４およびプリント基板２８をネジ３３で取り付けるための複数のプリント基板取付用のボス部３５が形成されているとともに、第１〜第３のボタン孔３１ａ〜３１ｃの外側で、かつレンズ支持プレート取付用のボス部３４の内側には第１〜第３のボタン孔３１ａ〜３１ｃを囲むリング状の防水突起３６が形成されている。
【００２０】
図５に断面図として示すように、リング状の防水突起３６は、断面略三角形状に形成されていて、レンズ支持プレート２５で弾性シート材２３をフロントケース２１ａの内面に押し付けたときに、弾性シート材２３の表面に食い込むようになっている。
【００２１】
図４に示すように、第１〜第３のスイッチ操作ボタン２２ａ〜２２ｃの裏面側は凹部（中空部）になっている。第１〜第３のスイッチ操作ボタン２２ａ〜２２ｃの裏面には、第１〜第３の円筒状のピン取付部３７ａ〜３７ｃが形成されている。第１〜第３の円筒状のピン取付部３７ａ〜３７ｃには、第１〜第３のスイッチ操作ピン３８ａ〜３８ｃの一端部が嵌合により取り付けられる。そして、第１〜第３のスイッチ操作ボタン２２ａ〜２２ｃを押圧操作すると、第１〜第３のスイッチ操作ピン３８ａ〜３８ｃを介して第１〜第３のタクトスイッチ２６ａ〜２６ｃが操作される。
【００２２】
弾性シート材２３の上部には、第１〜第３の集光レンズ２４ａ〜２４ｃの先端部を挿入する第１〜第３のレンズ受孔４１ａ〜４１ｃが形成されているとともに、第１のレンズ受孔４１ａと第２のレンズ受孔４１ｂの間および第２のレンズ受孔４１ｂと第３のレンズ受孔４１ｃの間には、レンズ支持プレート取付用のボス部３４を挿入するボス受け溝４２が形成されている。
【００２３】
弾性シート材２３は、ボス受け溝４２にレンズ支持プレート取付用のボス部３４を挿入することにより位置決めされた状態でフロントケース２１ａの内面に重ね合わされて、第１〜第３のスイッチ操作ボタン２２ａ〜２２ｃが第１〜第３のボタン孔３１ａ〜３１ｃ内に挿入される。
【００２４】
レンズ支持プレート２５は、透明の合成樹脂で形成されていて、第１〜第３の集光レンズ（導光部）２４ａ〜２４ｃが一体的に形成されている。第１〜第３の集光レンズ２４ａ〜２４ｃは、レンズ支持プレート２５の前後面を突出させることにより形成されている。
【００２５】
レンズ支持プレート２５は、周縁部に複数のネジ受け部４３を備えていて、これらネジ受け部４３をフロントケース２１ａの内面に設けたレンズ支持プレート取付用のボス部３４上に重ね合わせて、これらネジ受け部４３とプレート取付用のボス部３４をネジ３３で結合することにより上記フロントケース２１ａの内面に取り付けられて、弾性シート材２３をフロントケース２１ａの内面に押し付けている。そして、上記ネジ３３の締付度合いを調整することにより弾性シート材２３のフロントケース２１ａの内面への圧接度合いを調整可能になっている。
【００２６】
レンズ支持プレート２５は、弾性シート材２３に設けた第１〜第３の円筒状のピン取付部３７ａ〜３７ｃと対向する位置に、第１〜第３のスイッチ操作ピン３８ａ〜３８ｃを軸方向にスライド可能に支持する第１〜第３の筒状のピン受け部４４ａ〜４４ｃを備えている。
【００２７】
第１〜第３のスイッチ操作ピン３８ａ〜３８ｃの一端部は、第１〜第３の筒状のピン受け部４４ａ〜４４ｃを通して、第１〜第３のスイッチ操作ボタン２２ａ〜２２ｃの第１〜第３の円筒状のピン取付部３７ａ〜３７ｃに取り付けられる。
【００２８】
図３に示すように、プリント基板２８には、第１の主面２８ａにコネクタ５１やＴＯＰ（Ｔｅｃｈｎｉｃａｌ＆Ｏｆｆｉｃｅ  Ｐｒｏｔｏｃｏｌ）５２等の部品が搭載され、第２の主面２８ｂに第１〜第３のタクトスイッチ２６ａ〜２６ｃや第１〜第３のＬＥＤ２７ａ〜２７ｃが搭載されているとともに、下端には外部機器との電気的接続を行う外部インターフェイスパネル部５３を備えている。
【００２９】
プリント基板２８は、第２の主面２８ｂを上記フロントケース２１ａの内面に設けた複数のプリント基板取付用のボス部３５等に押し当てた状態でフロントケース２１ａに取り付けられている。
【００３０】
図６，図７に示すように、フロントケース２１ａの内側に、弾性シート材２３、レンズ支持プレート２５、第１〜第３のスイッチ操作ピン３８ａ〜３８ｃを取り付けたのちに、プリント基板２８を取り付けると、該プリント基板２８に設けた第１〜第３のタクトスイッチ２６ａ〜２６ｃが第１〜第３のスイッチ操作ピン３８ａ〜３８ｃの先端部に位置するとともに、プリント基板２８に設けた第１〜第３のＬＥＤ２７ａ〜２７ｃがレンズ支持プレート２５に設けた第１〜第３の集光レンズ２４ａ〜２４ｃの一端部に位置する。
【００３１】
次に、実施例の携帯型情報端末装置１の作用について説明する。第１〜第３のスイッチ操作ボタン２２ａ〜２２ｃを押圧操作すると、第１〜第３のスイッチ操作ピン３８ａ〜３８ｃを介して第１〜第３のタクトスイッチ２６ａ〜２６ｃが操作される。
【００３２】
第１〜第３のタクトスイッチ２６ａ〜２６ｃがオンされると、第１〜第３のＬＥＤ２７ａ〜２７ｃが点灯し、その光は上記第１〜第３の集光レンズ２４ａ〜２４ｃを介してフロントケース２１ａに設けた第１〜第３の表示部３２ａ〜３２ｃに導入されて、これら第１〜第３の表示部３２ａ〜３２ｃを明るく照らして第１〜第３のタクトスイッチ２６ａ〜２６ｃがオン状態にあることを表示する。
【００３３】
第１〜第３のスイッチ操作ピン３８ａ〜３８ｃは、一端部が第１〜第３のスイッチ操作ボタン２２ａ〜２２ｃの裏面に設けた第１〜第３の円筒状のピン取付部３７ａ〜３７ｃに取り付けられ、中央部がレンズ支持プレート２５に設けた円筒状のピン取付部３７ａ〜３７ｃに嵌合され、所謂両持ち支持された状態になっているので、傾斜することなく、その先端で確実に第１〜第３のタクトスイッチ２６ａ〜２６ｃを押圧、操作する。
【図面の簡単な説明】
【００３４】
【図１】携帯型情報端末装置の使用状態の一例を示す説明図。
【図２】携帯型情報端末装置の概観図。
【図３】携帯型情報端末装置の主要部の分解斜視図。
【図４】図３の要部の拡大図。
【図５】防水突起部分の断面図。
【図６】携帯型情報端末装置の断面図
【図７】図６の要部（円で囲んだ部分）の拡大図。
【図８】従来例の概観図。
【図９】従来例の断面図。
【符号の説明】
【００３５】
１…携帯型情報端末装置
２…装置本体
２１…筐体
２１ａ…フロントケース
２２ａ〜２２ｃ…スイッチ操作ボタン
２３…弾性シート
２４ａ〜２４ｃ…集光レンズ
２５…レンズ支持プレート
２６ａ〜２６ｃ…タクトスイッチ
２７ａ〜２７ｃ…ＬＥＤ
２８…プリント基板
３１ａ〜３１ｃ…ボタン孔
３２ａ〜３２ｃ…表示部
３３…ネジ
３６…防水突起
３７ａ〜３７ｃ…円筒状のピン取付部
３８ａ〜３８ｃ…スイッチ操作ピン
【図１】
0005034956.tif 000002
【図２】
0005034956.tif 000003
【図３】
0005034956.tif 000004
【図４】
0005034956.tif 000005
【図５】
0005034956.tif 000006
【図６】
0005034956.tif 000007
【図７】
0005034956.tif 000008
【図８】
0005034956.tif 000009
【図９】
0005034956.tif 000010